(57)【要約】【課題】プラテンガラスに原稿を接触させずに搬送し、原稿画像を読み取る装置において、原稿のプラテンガラスからの高さの変化に影響されずに均一な読み取り画像を得ること。【解決手段】原稿を搬送しながら、読み取りを行うシートスルー方式の原稿読取装置で、原稿を読取るための搬送時にプラテンガラスと接触させないで搬送するものにおいて、読取位置を通過中の原稿の高さを検出し、その検出結果に応じて、設定された画像パラメータを可変する。【選択図】図８
2008048043.tif 000002
【特許請求の範囲】
【請求項１】
プラテンガラス部材から浮かせた状態で原稿を所定の方向に搬送する自動原稿送り機構と、
自動原稿送り機構によって原稿を搬送し、所定の読取位置を通過させながら、前記プラテンガラス部材の下方に配された光源によって前記読取位置に在る原稿部分を照射し、前記原稿部分からの反射光を受光して前記原稿の画像を読み取る読取手段と、
前記反射光を画像データに変換する変換手段と、
前記自動原稿送り機構により搬送される原稿の前記プラテンガラス部材からの高さを検出する原稿高さ検出手段と、
前記原稿高さ検出手段により検出された原稿の高さに応じて、前記原稿の画像データを補正するための画像パラメータの値を設定する設定手段と、
を備えることを特徴とするシートスルー方式の原稿読取装置。
【請求項２】
前記設定手段は、前記プラテンガラス部材からの原稿の高さと前記画像パラメータの値とを対応付けたテーブルを備え、前記原稿高さ検出手段により検出された原稿の高さを基に、前記テーブルから画像パラメータの値を求めて、設定することを特徴とする請求項1記載のシートスルー方式の原稿読み取り装置。
【請求項３】
更に、前記画像パラメータの値を操作者が調整するための入力手段を備え、
前記設定手段により設定された画像パラメータの値を、前記入力手段から入力された調整値によって補正することを特徴とする請求項２記載のシートスルー方式の原稿読取装置。
【請求項４】
前記画像パラメータが、シャープネス補正パラメータ、濃度補正パラメータのいずれかであることを特徴とする請求項１〜３のいずれかに記載のシートスルー方式の原稿読取装置。
【請求項５】
前記原稿高さ検出手段は、原稿の先端が、前記読取位置よりも原稿搬送方向下流にあるローラに把持され、かつ、当該原稿の後端が前記読取位置よりも原稿搬送方向上流にあるローラに把持された状態にあるときに、当該原稿の前記プラテンガラス部材からの高さを１回検出し、
前記設定手段は、前記原稿高さ検出手段により検出された原稿の高さに基づいて、当該原稿に対する画像パラメータの値を１回設定する
ことを特徴とする請求項１〜４のいずれかに記載のシートスルー方式の原稿読取装置。
【請求項６】
前記原稿高さ検出手段は、原稿の先端から後端までの複数箇所に対して、当該原稿の前記プラテンガラス部材からの高さを検出し、
前記設定手段は、前記原稿高さ検出により検出された原稿の高さに基づいて、当該原稿に対する画像パラメータの値を複数回設定することを特徴とする請求項１〜４のいずれかに記載のシートスルー方式の原稿読取装置。
【発明の詳細な説明】
【技術分野】
【０００１】
本発明は、原稿読取装置に関し、特に、いわゆるシートスルー方式で原稿を読み取る原稿読取装置に関する。
【背景技術】
【０００２】
ユーザの利便性に鑑み、近年、複写機等の画像形成装置に備えられる原稿読取装置では、プラテンガラスに載置され静止した原稿の下方において光学系を移動させ、当該原稿の画像を読み取る移動光学方式に加え、自動原稿送り機構（ＡＤＦ）によってプラテンガラス上面の読取位置を通過する原稿を、プラテンガラス下方で静止させた光学系で読み取るシートスルー方式を採用した機種が市場に多く投入されている。
【０００３】
そして、この種のシートスルー方式の原稿読取装置において、原稿からの紙粉等の異物がプラテンガラスに残り画像筋ノイズとなるのを防ぐために、原稿をプラテンガラスから浮かせて搬送する構成が採用されている。
【特許文献１】特開平８−１２３１５７号公報
【発明の開示】
【発明が解決しようとする課題】
【０００４】
しかしながら、原稿をプラテンガラスから浮かせた場合、透過濃度が高い薄紙や、腰が強い厚紙など、紙種によって、プラテンガラスからの原稿高さが異なり、原稿ごとに微妙な濃度ムラなどを生じ、均一な読み取りを得ることが難しかった。
本発明は、上記課題を解決した原稿読取装置を提供することを目的とする。
【課題を解決するための手段】
【０００５】
上記の目的を達成するため、本発明は、プラテンガラス部材から浮かせた状態で原稿を所定の方向に搬送する自動原稿送り機構と、自動原稿送り機構によって原稿を搬送し、所定の読取位置を通過させながら、前記プラテンガラス部材の下方に配された光源によって前記読取位置に在る原稿部分を照射し、前記原稿部分からの反射光を受光して前記原稿の画像を読み取る読取手段と、前記反射光を画像データに変換する変換手段と、前記自動原稿送り機構により搬送される原稿の前記プラテンガラス部材からの高さを検出する原稿高さ検出手段と、前記原稿高さ検出手段により検出された原稿の高さに応じて、前記原稿の画像データを補正するための画像パラメータの値を調整する調整手段とを備えることを特徴としている。
【発明の効果】
【０００６】
本発明は、上記のようにシートスルー方式の原稿読取装置において、読取中の原稿の高さを検出し、その検出結果によって、画像パラメータの値を設定するものであるから、原稿の種類、厚みなどによって原稿高さが、原稿ごとに異なっても、そのときの検出高さにより、濃度、ＭＴＦといった画像パラメータが適正に調整され、シートスルー方式によるプラテンガラスの汚れの抑制等の利点を確保しつつ、画像品質を高く保つことが出来るといった効果がある。
【０００７】
ここで、前記設定手段は、前記プラテンガラス部材からの原稿の高さと前記画像パラメータの値とを対応付けたテーブルを備え、前記原稿高さ検出手段により検出された原稿の高さを基に、前記テーブルから画像パラメータの値を求めて、設定することができる。
このようにテーブルを参照して画像パラメータを求めるようにすると、演算を行う必要がなく、高速処理に適している。
【０００８】
更に、本発明は、前記画像パラメータの値を操作者が調整するための入力手段を備え、
前記設定手段により設定された画像パラメータの値を、前記入力手段から入力された調整値によって補正するよう構成することが出来る。
このようにすると、機種ごとに使用者による画像補正のカスタマイズを行うことが出来、使用者ごとに微妙なニュアンスの画像表現を楽しむことが出来る。
また、前記原稿高さ検出手段は、原稿の先端が、前記読取位置よりも原稿搬送方向下流にあるローラに把持され、かつ、当該原稿の後端が前記読取位置よりも原稿搬送方向上流にあるローラに把持された状態にあるときに、当該原稿の前記プラテンガラス部材からの高さを１回検出し、
前記設定手段は、前記原稿高さ検出手段により検出された原稿の高さに基づいて、当該原稿に対する画像パラメータの値を１回設定する構成とすることができる。
【０００９】
原稿の中程における原稿高さは、１枚の原稿が読取位置を通過する間で、最も頻度の高い高さであるので、１枚の原稿に対して１回だけ画像パラメータの調整するだけで、適正な画像パラメータの調整が可能となる。
一方、原稿の高さの検出は、原稿が読取位置を通過中、先端から後端までの複数箇所に対して行われ、読取った原稿の高さに基づいて、その原稿に対する画像パラメータを複数回調整するよう構成することが出来る。
【００１０】
このようにすると、原稿先端から後端まで読取位置を通過する間に、原稿の高さが変化してもそれに追従して画像パラメータの補正ができ、より高品質に高精細な画像データの読み取りが可能となる。
【発明を実施するための最良の形態】
【００１１】
[第１実施形態]
図１に、本発明の１実施形態としてのシートスルー方式の自動原稿送り機構（ＡＤＦ）付き原稿読取装置の構成図を示す。
図中、破線で囲んだブロック１０１は自動原稿送り機構、ブロック１０３は画像読取装置である。
＜自動原稿送り機構＞
自動原稿送り機構１０１は、給紙トレイ２００と、原稿搬送路上に配設された給紙ローラ２２０、分離ローラ２２１、読み取り前後ローラ２０１、２０２からなる。給紙トレイ２００には、給紙時の傾きを防止するためのガイド部材があり、ガイド部材に連結された位置検出センサと給紙トレイ２００の搬送方向に設けられた複数の原稿検出部材との組み合わせにより、給紙トレイ２００上の原稿サイズを判別可能である。
【００１２】
給紙トレイ２００に積載された原稿Ｄは上記構成によってサイズ判定されると共に、給紙ローラ２２０によって、繰り出され、分離ローラ２２１によって重送を防止した状態でさらに下流に搬送され、読み取り前ローラ２０１を経て、プラテンガラス２０５と背面板２０３が上下に所定間隔置いて対向する読取位置Lまで搬送される。
前記プラテンガラス２０５より原稿搬送方向（Ｄ１）上流側にはプラテンガラス上面よりも若干高い搬送ガイド部材２２２が設けられている。搬送中の原稿Ｄは、この搬送ガイド部材２２２によって搬送方向及び姿勢が規制されて、プラテンガラス２０５より浮いた状態で読取位置Ｌを通過する。また、読み取り前ローラ２０１に対して読み取り後ローラ２０２の方が若干高速で回転しており、原稿先端が読み取り後ローラ２０２に把持された後は、原稿のプラテンガラス２０５からの浮きが、読み取り前後ローラ２０１、２０２の速度差により維持される。
【００１３】
なお、前記読取位置Ｌの近傍には、図１には示していないが、原稿高さ検出器が設けられていて、読取位置Ｌを通過する原稿の高さを検出している。そして、検出結果は、原稿読取装置１０３へ供給される。原稿高さ検出器の詳細は後述する。
読取位置Ｌを通過した原稿Ｌは、読み取り後ローラ２０２を経て、図示しない排出積載トレイへ排出されるか、裏面を読み取るため、図示しない反転経路へ搬送される。
＜原稿読取装置＞
原稿読取装置１０３は、前記プラテンガラス２０５の下方において、読取位置Lを通過する原稿Ｄを照射する光源２０６と反射鏡２０８、読取位置Ｌの原稿Ｄからの反射光をＣＣＤ２１３まで導く反射ミラー等の光学系２０９、２１１及びＣＣＤ２１３で読み取った画像データを各種補正する画像処理部２１５からなる。
【００１４】
この実施例の原稿読取装置１０３は、固定光学系の一つであるシートスルー方式と移動光学系の一つであるミラー移動方式の両方で原稿画像の読み取りが可能なように構成されている。つまり、光源２０６、反射鏡２０８、反射ミラー等の光学系２０９、２１１を含むスライダーユニットが、原稿搬送方向あるいは逆方向に可動に構成されている。
＜制御部＞
図２は、上記自動原稿送り機構１０１及び原稿読取装置１０３を制御する制御部のブロック図である。
【００１５】
自動原稿送り機構１０１を制御するＣＰＵ３００は、原稿読取装置側を制御するＣＰＵ３０２と通信可能に接続されている。両者間の通信を通じて、原稿サイズ情報や動作モード、原稿を読み取るためのタイミング情報など各種の制御情報をやり取りする。
自動原稿送り機構１０１のＣＰＵ３００には、搬送経路上に設けられている給紙ローラ、分離ローラ等のローラを駆動する駆動パルスモータ２２３及びそのモータを駆動するモータ駆動ＩＣ３０１、並びに読取位置Ｌ近傍に設けられる原稿高さ検出器２２４が接続されている。駆動パルスモータ２２３は、自動原稿送り機構１０１のＣＰＵ３００により、φ０〜φ３の励磁信号を入力されることにより駆動される。倍率やモードに応じて、原稿搬送速度などを可変し、原稿搬送を制御する。
【００１６】
原稿読取装置１０３は、ＣＰＵ３０２によって制御されており、光源２０６、反射板２０８、光学系２０９等を含むスライダーユニットを移動させる駆動モータ３０５をモータ駆動ICを介して制御している。
図３に画像処理部２１５の構成を示している。
ＣＣＤ２１３で読み込まれた画像信号は、Ａ／Ｄ変換器１２でディジタル信号（画像データ）に変換され、シェーディング補正部１３でシェーディング補正され、明度・色差分離部１４でＲ、Ｇ、Ｂ信号を明度と色差信号に分離し、シャープネス調整部１５、ＨＶＣ調整部１６、濃度補正部１８でそれぞれの調整・補正をした後、色空間変換部１７にて画像の色空間をＬ＊ａ＊ｂ＊色空間に変換し、更に圧縮伸長部１９で、データ圧縮してメモリ部２０に保管している。
前記シャープネス調整部１５、ＨＶＣ調整部１６、濃度補正部１８に対しては、画像調整パラメータ設定部２１が、画像濃度等の調整のための画像パラメータの設定により、読み取り画像の最適化が図られている。
【００１７】
＜原稿高さの変化と補正パラメータの関係＞
図４は、シートスルー方式の自動原稿搬送機構においてプラテンガラスに対する原稿の高さの変化を示すデータである。試験に供した原稿は、重さが３５ｇ／ｍ２（曲線Ａ）、８０ｇ／ｍ２（曲線Ｂ）、１２４ｇ／ｍ２（曲線Ｃ）、１５７ｇ／ｍ２（曲線Ｄ）、２１０ｇ／ｍ２（曲線Ｅ）と異なる５種類を選んだ。図４の横軸は、読取位置Ｌを通過する時刻で、原稿先端が一番早く、後端が最後になる。したがって、図の左端が原稿先端の通過時、右端が原稿後端の通過時に相当する。縦軸は、ガラス面からの浮き量すなわち原稿の高さ（単位ｍｍ）である。
【００１８】
図４から、原稿先端近くが読取位置Ｌにあるときは、原稿が片持ち状態（読み取り前ローラにのみ把持）であるため、プラテンガラス２０５に近い状態となり、原稿中央部分が読取位置Lにあるときは、原稿先端が読み取り後ローラ２０２に把持され、読み取り前後ローラ２０１、２０２の速度差により原稿に引っ張りテンションが掛かるため、プラテンガラス２０５より離れ、本来の狙いである白色の背面板２０３近傍に近付き、原稿後端が読取位置Ｌにあるときは、再び片持ち支持状態となるため、プラテンガラス２０５に近付いているのが観測される。
【００１９】
また、原稿の重さが増えると、それだけ中央付近での原稿高さが低くなっている。これは、原稿の腰が強くなるため、読み取り前後ローラ２０１、２０２による引っ張りテンションが掛かっても引き上げられにくくなるからである。図４から判るように、同一原稿における先端、中央部（中程）、後端の各位置による原稿高さの変化よりも、重さが異なる原稿ごとの高さの差の方が大きい。
【００２０】
後述のように原稿高さと読み取り画像の濃度、ＭＴＦ等とは一定の関係を有している。したがって、第１義的には、原稿ごとに１回だけ原稿高さを検出し、その原稿における画像パラメータを設定することで、重さの異なる原稿毎の原稿高さの差による濃度ムラ等の解消を図る。勿論、原稿高さは原稿の搬送方向における測定位置によって差があるので、原稿読み取り時に最も長く維持される可能性のある原稿高さを検出する。例えば原稿の中央部分の高さがそれに該当する。これによって、大幅な濃度ムラが解消できることが期待される。ただし、原稿の先端、後端においては、図４に見られるように、やはり、高さが変動し、１枚の原稿においても、先端と後端において、中央部よりも濃度が若干薄くなるといった傾向が見られると考えられる。
【００２１】
従って、第２義的には、原稿の原稿搬送方向における複数の部位において、原稿高さを検出し、部位ごとに検出される高さに応じた画像パラメータを求め、画像処理部２１５にその都度設定し、きめ細かく濃度ムラ等の解消を図る。これによって、ほぼ原稿高さの変化による濃度ムラ等の問題を解消できる。
図５(a)(b)(c)は、原稿高さと読み取り画像への影響度の関係を示す図である。影響度として、図５(a)は、原稿高さを変化させた場合の、ある濃度部分の原稿読み取り画像の階調性を示す。原稿高さが低いほど、階調レベルが高くなり、高くなるに従い、階調性が低くなっている。このため、高さによらず、階調性を均一にするには原稿高さがプラテンガラス２０５に近い場合は、階調性を下げて（つまり濃度補正を少なくし）、原稿高さが高い場合は、階調性を上げる（濃度補正を多くする）必要がある。
図５(b)は、原稿の浮き量（高さに相当）とＭＴＦの関係を示している。この場合も、画像を均一にするには、原稿の浮き量が低いほど、シャープネス性に対する補正を弱くし、原稿の浮き量が大きいほどシャープネス性に対する補正を強める必要がある。
図５(c)は、原稿の浮き量に対するページ内色差の関係を示している。この場合も、原稿の浮き量により、これらに関する色変換のパラメータを補正することで、色合いなどの画質に対して、均一な画像を得ることが出来る。
【００２２】
＜原稿高さ検出器の構成＞
図6に原稿高さ検出器の構成を示す。原稿高さ検出器２２４は、ＰＳＤ素子を用いた距離検出手段で構成されている。ＰＳＤ素子は公知であるので、詳細な説明は省略するが、原理は、光ビームを対象物に斜めから照射し、その反射光を受光すると、対象物までの距離に応じて受光位置が異なる現象を利用している。原稿高さ検出器２２４は、プラテンガラス２０５よりも下方に配置している。この配置であると、検出器２２４から原稿Ｄまでの距離が検出される。求めたいのは、プラテンガラスから原稿面までの高さであるから、求めた距離から高さに換算する必要がある。換算は次式（１）に従って行うことが出来る。
【００２３】
Ｈ＝Ｄsinθ―Ｈ0    ・・・・・（１）
ここで、Ｄは、検出器２２４によって求められた検出器２２４から原稿までの距離、θは、
原稿Ｄからの反射光が検出器２２４へ入射する光線の仰角、Ｈ0は、検出器２２４からプラテンガラス２０５上面までの垂直距離である。
なお、上式（１）は、検出器２２４が仰角θという斜め上方を検出域としている場合の換算式であり、検出器２２４を、ほぼ垂直上方に向けて配置できるときは、sinθは１として計算できる。
次に、図中、２２４aは、別の検出方法の実施例を示している。検出器２２４aは原稿ガイド２０３側に設け、検出器２２４aから原稿Ｄまでの距離を検出している。原稿不存在時等に検出器２２４aからプラテンガラス２０５までの距離を検出しておき、その検出値から、検出器―原稿間距離の検出値を減算して、プラテンガラス２０５から原稿Ｄまでの距離を求める。
【００２４】
なお、検出器２２４aからプラテンガラス２０５までの距離は予め固定値に調整されていても良い。その場合は、検出器までの距離を別途に検出しなくても良い。
＜画像パラメータ＞
図7は、原稿高さに応じて画像パラメータを補正するテーブルを示している。原稿の基準高さをＨ0とし、検出した高さと、基準高さＨ0との差異がどの程度かによって、濃度補正パラメータＡ＋αｎおよびシャープネス性補正パラメータＢ＋βｎを定めている。このテーブルは、予め実測データから算出されており、図3の画像処理部２１５中の画像調整パラメータ設定部２１に格納されている。
【００２５】
画像調整パラメータ設定部２１には、原稿高さ検出器２２４（または２２４a）の検出値が入力され、上記テーブルから原稿高さに応じた濃度補正パラメータ、シャープネス補正パラメータを読み出し、シャープネス調整部１５、濃度補正部１８に供給する。シャープネス調整部１５、濃度補正部１８は、供給されたパラメータを用いて調整値に補正する。
【００２６】
＜画像補正処理＞
図８は、原稿高さに対する画像補正処理を示すフローチャートである。かかる処理は、図示しないＲＯＭ等の記憶媒体に格納された制御プログラムに従ってＣＰＵ３０２が実行する。このフローチャートは、１枚の原稿に対して１回、原稿高さを検出し、画像パラメータを設定する処理を行う。図示していないが、メインルーチンが別途あり、メインルーチンにおいて、原稿高さの画像補正処理サブルーチンがコールされると、図８のフローチャートを実行する。
最初、原稿読み取り中であるか否かが判定される（Ｓ１）。原稿読み取り中とは、原稿が原稿載置台から繰り出されてから、排紙トレイに排出されるまでを言う。判定が肯定的な場合、原稿先端が読取位置Ｌに達するタイミングを待って（Ｓ２）、原稿高さ検出器２２４のモニタを開始し、原稿高さＨｎを測定する（Ｓ３）。
【００２７】
ここで、原稿高さを検出するタイミングは、原稿先端が読取位置Ｌを通過してから、原稿の中央部分が原稿高さ検出器２２４の検出エリアに達する時点とするのが望ましい。言い換えると、原稿の先端がローラ２０２に把持され、かつ、原稿の後端がローラ２０１に把持された状態にあるときに、原稿高さが検出されるのが望ましい。そのためには、原稿先端が読取位置Ｌに達した時点から、タイマーにより所定時間経過して原稿高さ検出器２２４のモニター出力を取り込むようにするのが良い。
【００２８】
原稿高さＨｎが測定されると、図７のテーブルを参照して、Ｈｎが属する高さ範囲の画像パラメータ補正値を求め、図３の画像調整パラメータ設定部２１に設定する（Ｓ４）。この後、処理はメインルーチンにリターンする。以後、図８のサブルーチンがコールされると、原稿が読み取り中である限り、処理はＳ１→Ｓ２と進むが、２回目以降は原稿の先端が読取り位置Ｌを通過しているので、直接Ｓ４と進み、既に求めた画像パラメータ補正値が再度、画像調整パラメータ設定部２１に設定される。以下、原稿読み取り動作中は、本サブルーチンがコールされる度に同じ処理をし、原稿読み取りを終了すると（Ｓ１）、何らの処理をすることなく、メインルーチンへリターンする。
【００２９】
なお、上記処理において、原稿高さの検出は、原稿の中央部分に対して行うこととしているので、原稿先端が読取位置Ｌを通過するより後に検出することとなる。そのため、リアルタイムに画像パラメータの補正をすることができない。図示はしていないが、ＣＣＤ２１３で読み取った画像データは、シャープネス調整部１５に入力されるまでの段階で、一時記憶され、画像パラメータ補正値が求まった段階で読み出されるようにしている。
【００３０】
上記のように原稿高さを検出して、画像パラメータ補正値を求め、設定するので、従来のような、紙の厚さの差異に起因して原稿高さが異なることによる濃度ムラなどは、解消できることとなる。
＜画像パラメータの調整操作＞
図９は、パネル入力等による調整動作の処理を示す。
図８では、検出した原稿高さに対する画像補正をしたが、そのように補正をしたとしても、機差によって画像の差異など、微調したい場合がある。このような場合、一般には、操作パネルなどからサービスマンやユーザが調整値を入力することで、画像パラメータを補正することが行われる。図９では、これらに対するパラメータ変更処理の一例を記載している。
【００３１】
先ず、サービスマンやユーザが、操作パネル上の所定のキーを押す等して画像パラメータ調整を入力する操作をすると、図９のサブルーチンがコールされる。そして、原稿読み取り中で無い場合に限って（Ｓ５）、画像レベルの調整を受け付ける（Ｓ６）。受け付けは操作パネル上のテンキーなどを用いて行う。例えば、テンキーの「１」を押すと、画像レベル１が選択され、画像調整パラメータ設定部２１の濃度パラメータ、シャープネス補正パラメータがΔαn、Δβn分減少させられる（Ｓ７）。他方、テンキー「３」を押すと、テンキー1の場合と同量増加させられる（Ｓ８）。
このようにして、機種ごとに個別に画像パラメータを調整することが出来る。
[第２実施形態]
前の実施形態では、１枚の原稿に対して１回だけ原稿高さを検出して、その検出結果から画像パラメータを求め、その原稿の読み取り画像に対しては一律に画像補正を行うものであったが、この実施形態では、１枚の原稿に対して先端から後端までの複数箇所に対して原稿高さを求め、その都度画像パラメータを補正している。
【００３２】
図１０、１１は、その処理を示すフローチャートである。フローチャート以外の構成、自動原稿送り機構１０１、原稿高さ検出器２２４、画像処理部２１５などは前の実施形態と同じであるので、説明は省略する。
図１０のフローチャートは、図外のメインルーチンに対するサブルーチンであり、処理を終了すると、メインルーチンへリターンし、他の処理を行う。図１１のフローチャートは、図１０のサブルーチンである。なお、図中、Ｆはフラグで、原稿高さ検出器２２４が原稿先端を検出すると、1にセットされ、原稿後端を検出すると、0にセットされる。フラグの値が1のときは、原稿読み取り中を示し、０のときは読み取り終了を示す。
【００３３】
原稿が給紙トレイ２００から繰り出され、タイミングローラでタイミング調整されて、原稿先端が、読取位置Ｌよりも上流側に配置されているタイミングセンサ位置を通過してから、所定時間（原稿先端が読取位置Ｌに達するまでの時間）が経過すると、原稿先端が読取位置Ｌに達したとして（Ｓ１１）、フラグＦがセット（Ｆ=１）される（Ｓ１２）。
フラグＦがセットされている状態で、ステップＳ１３へ進むと、図１１のサブルーチンがコールされる。すると、処理がＳ１７→Ｓ１８→Ｓ１９と進み、原稿高さ検出器２２４の検出値Ｈnを読み取り、その値を基に図7に示す補正テーブルを参照して、対応する濃度補正値Ａ＋αｎ、シャープネス補正値Ｂ＋βｎを読み出して、画像調整パラメータ設定部２１に対してパラメータの設定を行う。
【００３４】
フラグＦがセットされている状態では、図１１のサブルーチンがコールされる度に、Ｓ１７→Ｓ１８→Ｓ１９の処理を繰り返し、新たな原稿高さＨnを検出して、それに対応する画像調整パラメータが設定される。
やがて、原稿後端がタイミングセンサ位置を通過してから所定時間が経過すると、原稿の後端が読取位置Ｌを通過したとして（Ｓ１４でＹＥＳ）、フラグがリセット（Ｆ=0）される（Ｓ１５）。フラグがリセットされると、図１１のサブルーチンがコールされても、パラメータの値は変更されない。
【００３５】
図１２は、原稿をコピーした場合において、コピー紙上の画像補正量の変遷を示している。コピー紙は、先端から一定距離Ｍ1、Ｍ２・・・ごとに、画像調整パラメータの値が変更されている。一定距離Ｍ１、Ｍ２・・・は、図１１のサブルーチンがコールされる時間間隔に相当する。なお、図１１のサブルーチンがコールされる時間間隔を適宜に調整するために、タイマーを用い、図１１のサブルーチンをコールするタイミングを、タイマーがタイムアップする度に行うように設定するのが良い。
【００３６】
＜変形例＞
なお、上記の実施形態では、原稿読み取り中に画像パラメータを変更する方法を採用しているが、画像読み取り中には、原稿高さによる画像パラメータの変更は行わず、画像データをそのままメモリに格納し、その後にメモリデータを原稿高さに応じて補正する方法を採用することもできる。あるいは、原稿読み取り前に、高さを検出するための通紙動作を行い、高さ検出後、再度読み込みを行う方法を採用することも出来る。
【００３７】
また、画像パラメータは、シャープネス補正パラメータ、濃度補正パラメータのいずれか一方でもよく、原稿高さに依存して特性の変化する他の画像を補正するためのパラメータであってもよい。
【産業上の利用可能性】
【００３８】
シートスルー方式の原稿読取装置において、原稿高さの変動に伴う画像劣化を低減することで、シートスルー方式のより一層の普及が望める。
【図面の簡単な説明】
【００３９】
【図１】本発明の1実施形態としての原稿読取装置を示す図である。
【図２】原稿読取装置と自動原稿送り機構の制御ブロック図である。
【図３】画像処理部のブロック図である。
【図４】原稿の重さによる原稿高さの違いを示す実測データである。
【図５】（a）は、原稿高さによる原稿階調再現の変化を示す図、（b）は、原稿の浮き量によるＭＴＦの値の変化を示す図、（c）は、原稿の浮き量によるページ内色差の変化を示す図である。
【図６】原稿高さ検出器の設置例を示す図である。
【図７】原稿の高さと画像パラメータの値との対応を示すテーブルである。
【図８】画像補正処理ルーチンを示すフローチャートである。
【図９】画像パラメータの調整処理を示すフローチャートである。
【図１０】第２の実施形態の原稿高さ検出処理を示すフローチャートである。
【図１１】図１０のサブルーチンを示す図である。
【図１２】第２の実施形態において、原稿に対してなされる画像補正パラメータの設定の推移を示す図である。
【符号の説明】
【００４０】
１０１  自動原稿送り機構
１０３  原稿読取装置
２００  給紙トレイ
２０１  読み取り前ローラ
２０２  読み取り後ローラ
２０５  プラテンガラス
２０６  光源
２１３  ＣＣＤ
２２０  給紙ローラ
２２１  分離ローラ
２２４（２２４a）  原稿高さ検出器
２１  画像調整パラメータ設定部
Ｌ  読取位置
Ｄ  原稿
【図１】
2008048043.tif 000003
【図２】
2008048043.tif 000004
【図３】
2008048043.tif 000005
【図４】
2008048043.tif 000006
【図５】
2008048043.tif 000007
【図６】
2008048043.tif 000008
【図７】
2008048043.tif 000009
【図８】
2008048043.tif 000010
【図９】
2008048043.tif 000011
【図１０】
2008048043.tif 000012
【図１１】
2008048043.tif 000013
【図１２】
2008048043.tif 000014